(57)【要約】【課題】  複数の正確な流速を提供し、それらの流速が使用者に選択可能である、流体流速切替え装置を提供する。【解決手段】  治療的流体の流速を選択するためのスイッチであって、以下：ポートおよび複数の通路を有する、ハウジング；該治療的流体の流速を調節する、複数の堅固な毛管であり、該管の各々が、該通路の１つにそれぞれ配置されている、複数の堅固な毛管；および該ハウジングに操作可能に接続されるバルブであって、１つ以上の該通路からの該ポートに選択的に接続および脱着するように移動可能である、バルブ、を備える。【選択図】  図１
2004337642.tif 000002
【特許請求の範囲】
【請求項１】
治療的流体の流速を選択するためのスイッチであって、以下：
ポートおよび複数の通路を有する、ハウジング；
該治療的流体の流速を調節する、複数の堅固な毛管であり、該管の各々が、該通路の１つにそれぞれ配置されている、複数の堅固な毛管；および
Ｔ−継手取付け具を備えるバルブであって、該Ｔ−継手取付け具が該バルブの周囲で少なくとも２方向に配置された３つの平行な通路に操作可能に接続され、１つ以上の該通路からの該ポートに選択的に接続および脱着するように移動可能である、バルブ、を備える、スイッチ。
【発明の詳細な説明】
【技術分野】
【０００１】
本発明は、一般に、流体の流速を制御するための装置に関し、さらに詳細には、医療用流体送達システムにおける、複数の正確な流速を提供し、それらの流速が使用者に選択可能である装置に関する。
【背景技術】
【０００２】
多くの流体送達システムにおいて、流体流速を注意深く制御することが重要である。流体の静脈内投与において使用されることを意図されるシステムに関しては、流体流速の正確な制御は、通常、患者に提供される治療の重要な部分である。その上医療分野では、正確さは、フロー制御システムの重要な特徴である。さらに、制御されない高い流体流速での流体の静脈内投与は、患者にとって有害であり得る。
【０００３】
フロー制御システムの別の所望される特徴は、時間が経っても一貫していることである。医療分野では、処置セッション一体の間、医療付添い人が流体流速をモニターするために居ることを期待するのは、実際的でない。ゆえに、流速制御システムは、比較的長い時間付添われていない間、安定した流速を維持し得なければならない。また、医療分野および他の環境では、フロー制御システムについてのさらに別の所望される特徴は、オペレーターの間違いを最少にするための操作の簡単さである。
【発明の開示】
【発明が解決しようとする課題】
【０００４】
いくつかの薬物投与システムでは、バルブは１対のプラスチックの可撓性の管と組合せて使用され、流体速度切り換え装置を形成する。しかし、プラスチックの可撓性管材料の使用は、流体の流速を調節する際に、高度な正確さを提供しない。また、所望の流速を達成するために必要とされるプラスチック管材料の長さは、プラスチック管材料の製造プロセスにおける不整合性の結果で変化し得る。従って、プラスチック管材料が流体流速調節する際に使用される場合、特別な工程がとられなければならない。
【０００５】
ゆえに、本発明の前に、正確で、かつ安定した、使用者に選択可能な流速制御を有する比較的小さな装置の必要が存在する。
【課題を解決するための手段】
【０００６】
概して、本発明のスイッチは、ポートおよび複数の通路を有するハウジングを含む。この通路を通る治療的流体の流速を調節するための堅固な毛管は、各通路にそれぞれ配置される。さらに、操作可能にこのポートの接続および１つ以上の通路からのこのポートの脱着のために、バルブが回転可能にハウジングへ接続される。
【０００７】
本発明は、治療的流体の流速を選択するためのスイッチに関し、このスイッチは：ポートおよび複数の通路を有する、ハウジング；該治療的流体の流速を調節する、複数の堅固な毛管であり、該管の各々が、該通路の１つにそれぞれ配置されている、複数の堅固な毛管；および該ハウジングに操作可能に接続されるバルブであって、１つ以上の該通路からの該ポートに選択的に接続および脱着するように移動可能である、バルブ、を備える。
【０００８】
好ましくは、前記バルブが反時計回り方向に回転されるにつれて、少なくとも３つの増分バルブにより前記治療的流体の流速が逐次的に増加され得る。
【０００９】
好ましくは、９０度の少なくとも３つの連続した段階で前記バルブが逐次的に回転されるにつれて、前記治療的流体の流速が徐々に増加され得る。
【００１０】
好ましくは、前記バルブが時計回り方向に回転されるにつれて、少なくとも３つの増分バルブにより、前記治療的流体の流速が逐次的に減少され得る。
【００１１】
好ましくは、前記バルブは、前記ポートに通路の１つを操作可能に接続するように連続フロー位置に移動可能であり、該バルブは、該ポートに少なくとも２つの該通路を操作可能に接続するように平行フロー位置に移動可能であり、そして該バルブは、該通路から該ポートを操作可能に脱着するようにオフ位置に移動可能であり得る。
【００１２】
好ましくは、前記ハウジングは、前記毛管を備えるインサートに超音波溶接されたカバー部材を含み、そして該カバー部材および該インサートは、細塵粒子が前記治療的流体に接触するのを防止するためのフラッシュトラップを規定し得る。
【００１３】
好ましくは、前記ハウジングは、前記バルブを受容する内腔を含み得る。
【００１４】
好ましくは、前記バルブは、ハブ部材に装着されたフランジを含み得る。
【００１５】
好ましくは、前記フランジは、前記スイッチを通る流速の情報を示す窓を含み得る。
【００１６】
好ましくは、前記フランジは、外周部を有し、そして前記ハウジングは、開口および該開口と同軸上に整列した環状リッジを含み、該開口が、前記バルブのハブおよび該フランジ外周部の要部を取り囲むリッジを受容し得る。
【００１７】
好ましくは、前記バルブは流体路を含み得る。
【００１８】
好ましくは、前記バルブの流体路は、前記ハウジング内で平行に間隔を空けられた１対の流体通路と操作可能に接続され得る。
【００１９】
好ましくは、前記バルブの流体路は、前記ハウジング内で前記間隔を空けられた流体通路と角をなして接続され得る。
【００２０】
好ましくは、前記バルブの流体路は、前記ハウジング内で前記間隔を空けられた流体通路の少なくとも１つと、１３５度の角度で接続され得る。
【００２１】
好ましくは、前記バルブの流体路がＴ形状であり得る。
【００２２】
好ましくは、前記バルブは、ハンドルに取り外し可能に装着可能であり得る。
【００２３】
好ましくは、前記ハンドルは、管の一部を受容するために適合される湾曲部を含み得る。
【００２４】
好ましくは、前記毛管は、微小内腔ガラスであり得る。
【００２５】
好ましくは、前記毛管は、前記治療的流体の異なる流速を可能にし得る。
【００２６】
本発明は、また上記のスイッチを用いて治療的流体の流速を選択する方法に関し、この方法は：該治療的流体を送入するポンプ手段を提供する工程；該ポンプ手段に操作可能に接続される上記のスイッチを提供する工程；該ポンプ手段に前記通路の１つを操作可能に接続する、連続フロー位置へ、前記バルブを移動させる工程；および該ポンプ手段に少なくとも２つの該通路を操作可能に接続する、平行フロー位置へ、該バルブを移動させる工程を包含する。
【００２７】
この方法は、前記バルブが回転されるにつれて、前記スイッチを通る流速を徐々に増加させる工程、をさらに包含し得る。
【００２８】
本発明はまた、患者への治療的流体の流速を提供するための注入器システムに関し、このシステムは：互いに操作可能に接続される、ハウジングおよびバルブ；該ハウジングを通る該治療的流体の流速を調節する、堅固な複数の制限器を含む、ハウジング；ならびに該制限器を該治療的流体が選択的に通過するように移動可能な、バルブ、を備える。
【００２９】
好ましくは、前記バルブが回転されるにつれて、少なくとも３つの増分バルブにより、前記治療的流体の流速が、逐次的に増加され得る。
【００３０】
好ましくは、９０度の少なくとも３つの連続した段階で前記バルブが逐次的に回転されるにつれて、前記治療的流体の流速が徐々に減少され得る。
【００３１】
好ましくは、前記治療的流体が、前記制限器の１つのみを通過することを可能にするように、前記バルブが、連続フロー位置に移動可能であり、そして該治療的流体が、該制限器の少なくとも２つを通過することを可能にするように、該バルブが、平行フロー位置に移動可能であり得る。
【００３２】
好ましくは、前記バルブは、流速の情報を示す窓を有するフランジを含み得る。
【００３３】
好ましくは、前記バルブは、前記ハウジング内で平行に間隔を空けられた１対の流体通路と操作可能に接続する流体路を含み得る。
【００３４】
好ましくは、前記流体路は、前記ハウジング内で前記間隔を空けられた流体通路と角をなして接続され得る。
【００３５】
好ましくは、ハンドルが取り外し可能に前記バルブに装着可能であり得る。
【００３６】
好ましくは、前記ハンドルは、管の一部を受容するように適合される湾曲部を含み得る。
【００３７】
好ましくは、前記制限器は、微細内腔ガラス管であり得る。
【００３８】
好ましくは、前記制限器は、前記治療的流体の異なる流速を可能にし得る。
【００３９】
好ましくは、前記治療的流体を送入するためのポンプ手段は、前記ハウジングに操作可能に接続され得る。
【００４０】
好ましくは、前記バルブは、使用者が前記制限器の１つを前記ポンプ手段に操作可能に接続することを可能にし得る。
【００４１】
好ましくは、前記バルブは、前記使用者が少なくとも２つの前記制限器を前記ポンプ手段に操作可能に接続することを可能にし得る。
【００４２】
好ましくは、前記バルブは、該バルブが回転するにつれて、前記ハウジングを通る流速を、使用者が徐々に増加させることを可能にし得る。
【００４３】
好ましくは、前記ハウジングは、前記制限器を備えるインサートに超音波溶接されるカバー部材を含み、そして該カバー部材および該インサートは、細塵粒子が前記治療的流体に接触するのを防止するためのフラッシュトラップを規定し得る。
【００４４】
本発明はまた、治療的流体流速を制御するための装置に関し、この装置は：該治療的流体流速を制御するための複数の制限器を有するハウジング；および該ハウジングに操作可能に接続されるバルブであって、該バルブが一方向に回転されるにつれて、少なくとも３つの逐次的な段階で、該治療的流体流速を徐々に増加させるように、該バルブが回転可能である、バルブ、を含む。
【００４５】
好ましくは、前記バルブが一方向に回転されるにつれて、少なくとも３つの増分値により、前記治療的流体流速が、逐次的に減少され得る。
【００４６】
好ましくは、前記バルブは、選択された流速の情報を示す窓を有するフランジを含み得る。
【００４７】
好ましくは、前記バルブは、流体路を含み得る。
【００４８】
好ましくは、前記流体路は、前記ハウジング内で平行に間隔を空けられた１対の流体通路に、操作可能に接続され得る。
【００４９】
好ましくは、前記流体路は、前記ハウジング内で該間隔を空けられた流体通路に、角をなして接続され得る。
【００５０】
好ましくは、前記流体路は、Ｔ形状であり得る。
【００５１】
好ましくは、前記バルブは、ハンドルに取り外し可能に装着可能であり得る。
【００５２】
好ましくは、前記ハンドルは、管の一部を受容するように適合された湾曲部を含み得る。
【００５３】
好ましくは、前記制限器は微小内腔ガラスであり得る。
【００５４】
本発明の他の利点および特徴は、添付の図面に例示される特定の実施形態の以下の説明から明らかである。
【発明の効果】
【００５５】
本発明の装置は、ポートを有するハウジングおよび複数の通路を含む。通路を通る治療的流体の流速を調節するための堅固な毛管が、通路の各々に、それぞれ配置される。さらに、ポートを１つ以上の通路に操作可能に接続するため、そして１つ以上の通路から操作可能に脱着するために、バルブが、ハウジングに回転可能に接続される。
【発明を実施するための最良の形態】
【００５６】
この発明は、多様な形態の実施形態が可能であるが、本発明の好ましい実施形態は、図面に示され、そして本明細書中に詳細に記載される。この開示は、本発明の本質の例示として考慮されるべきであり、そして本発明の広範な局面を例示された実施形態に限定することを意図されない。
【００５７】
ここで図面、特に図１および図２に言及すると、多重速度切替え装置１０が開示され、装置１０は、ハウジング１２、バルブ１４、および１対のフロー制限器１６、１７（図１５〜図１８）を有する。このハウジング１２は、外部カバー部材１８、インサート２０、および末端キャップ２２を含む。これらの構成要素は、好ましくはポリカーボネート製であり、超音波溶接により互いに連結される。しかし、所望される場合、これらの構成要素は、他の堅固なポリマー材料（例えば、環状オレフィン含有ポリマー、架橋ポリ環状炭化水素含有ポリマー、ポリエステル、ポリアミド、ＡＢＳ、ポリウレタンなど）から製造され得、そして接着結合、溶媒結合（ｓｏｌｖｅｎｔ  ｂｏｎｄｉｎｇ）、高周波結合（ｒａｄｉｏ  ｆｒｅｑｕｅｎｃｙ  ｂｏｎｄｉｎｇ）、スナップ嵌合（ｓｎａｐ−ｆｉｔ）、または他の適切な接合方法により互いに連結され得る。
【００５８】
図３、４、および５を見ると、外部カバー１８は、末端壁２４および連続的な周辺壁２６を含み、互いに一体的に接続される。この末端壁２４は、内部表面２８（図４および図５）およびほぼ長円形状の周辺部を有する。周辺壁２６は、末端壁２４の周辺部から延び、インサート２０を受容するための開口部３０を規定する。
【００５９】
図５に示されるように、１対のＣ形状突出物３２、３３は、一体的に連結され、そしてカバー部材末端壁２４の内部表面２８から延びる。このＣ形状突出物３２、３３は、末端壁２４の側方軸３４について対称的に位置決めされる。好ましくは、このＣ形状突出物３２および３３は、互いに向かい合う開口部３６および３７をそれぞれ有する。
【００６０】
Ｃ形状突出物３２および３３の各開口部３６、３７を通って延びるのは、それぞれ長手チャネル３８および３９である。このチャネル３８、３９は、末端壁２４の表面２８に形成され、そして末端壁側方軸３４について対称的に位置決めされる。各チャネル３８および３９は、その付随したＣ形状突出部３２および３３のほぼ中点をそれぞれ起点とし、そして末端壁２４の長手軸に沿って延びる。これらのチャネル３８、３９は、末端壁２４の側方軸３４に届かずに終わる。
【００６１】
末端壁２４の内部表面２８に一体的に連結され、そこから延びるのは、１対の連続壁４０、４１であり、これらの壁は、各Ｃ形状突出部３２、３３および付随したチャネル３８、３９を取り囲む。これらの連続壁４０、４１は、末端壁２４の側方軸３４について対称的に位置決めされ、各壁は、ほぼ涙珠形状の周辺部を有する。これらの壁４０、４１は、本明細書中にさらに詳細に記載されるように、カバー１８をインサート２０に連結させることを容易にし、２つの別々の流体路を規定する。好ましくは、２つの壁４０、４１の涙珠状周辺部の頂部４２は、互いに向き合う。各壁４０および４１の内周部を縁取るのは、それぞれ連続溝４４および４５であり、これらの溝は、末端壁２４の内部表面２８内に形成される。
【００６２】
以前に示されたように、外部カバー末端壁２４の周辺部から延びるのは、連続周辺壁２６であり、この周辺壁２６は、断面においてほぼ長円形であり、ハウジングインサート２０を受容するための開口チャンバー４６を規定する。この周辺壁２６は、側部表面４８および４９をそれぞれ通過する、同軸上に整列した環状開口５０および５１を伴う、対向する外側表面４８、４９を含む。外側表面４８はまた、開口５０と同軸整列で、環形状外部リッジ５２を含む。好ましくは、外側表面４９は、ほぼ平面であり、患者の皮膚に接してこの側部表面を配置する場合に、快適さを高める。同様に、周辺壁２６の側部表面４８と側部表面４９との間の部分は、平滑である。
【００６３】
図６〜図９を見ると、ハウジング１２のインサート２０は、互いに一体的に連結された、フローブロック５４および管部材５６を含む。このフローブロック５４は、内部プレート部材５８および外部プレート部材５９を含む。好ましくは、これらのプレート部材５８、５９は、互いに同一平面上に間隔を空けられた関係である。
【００６４】
図７に示されるように、１対の段状外部内腔６０、６１および１対の内部内腔６２、６３は、フローブロック５４内に形成され、内部プレート部材５８および外部プレート部材５９を通って延びる。この外部内腔６０、６１は、互いに平行に間隔を空けられた関係にあり、プレート部材５８、５９に対して垂直である。各外部内腔６０、６１は、円筒形通路６４、円筒形制限器内包チャンバー６６、および円筒形Ｏ−リング内包チャンバー６８を含む。各外部内腔６０、６１の円筒形通路６４は、内包チャンバー６６と流体連通し、外部プレート部材５９内に開口部７０を有する。各内腔６０、６１の内包チャンバー６６は、Ｏ−リング内包チャンバー６８と流体連通し、そして円筒形通路６４の内径より大きい内径を有する。各内腔６０、６１のＯ−リングチャンバー６８は、内部プレート部材５８内の開口部７２、および制限器内包チャンバー６６の内径より大きい内径を有する。
【００６５】
フローブロック５４内の内部内腔６２、６３は、互いに、そして外部内腔６０、６１に対して平行に間隔を空けられた関係にある。また、これらの内部内腔６２、６３は、外部内腔６０、６１の間に位置する。これらの内部内腔６２、６３は、内部プレート部材５８を通って、内部プレート部材５８と外部プレート部材５９との間に位置する円筒形制御バルブ受容内腔７６の内部表面７４まで延びる。従って、内部内腔６２および６３は、バルブ受容内腔７６の内部表面７４上で、それぞれポート７５および７７と流体連通する。
【００６６】
好ましくは、制御バルブ受容内腔７６の長手軸は、外部内腔６０、６１および内部内腔６２、６３の長手軸に対して垂直な関係で間隔を空けられている。さらに、保持リング７８は、制御バルブ受容内腔７６の一つの開口部の周りで半径方向内側に突出する。
【００６７】
ハウジングインサート２０の管部材５６は、遠位ポートまたは開口部８０および円筒形内腔８２を、同軸上整列で有し、フローブロック５４内に延びる連接内腔８４と流体連通する。この連接内腔８４はまた、内部内腔６３と長手軸方向同軸上に整列し、ポート７９を介して制御バルブ受容内腔７６と流体連通する。
【００６８】
図８に示されるように、プレート部材の側方軸について対称的に位置決めされる１対の長手チャネル８８、８９は、ハウジングインサートのプレート部材５８の外部表面８６内に形成される。各チャネル８８、８９は、流体連通し、そしてＯ−リングチャンバー６８の１つとフローブロック５４内の内部内腔６２、６３の１つとの間に、延びる。カバー部材１８が、インサート２０に装着される場合、チャネル３８（図５）および８８は、ハウジング１２内のほぼ円筒形の通路を、チャネル３９（図５）および８９とともに規定する。
【００６９】
１対の連続壁９０は、側方軸について内部プレート部材５８の両側で、チャネル８８、８９、Ｏ−リング内腔開口部７２および内部内腔開口部を取り囲む。この壁９０は、内部プレート部材５８の表面８６に、一体的に装着され、その表面から垂直に延びる。この壁９０は、ハウジング外部カバー末端壁２４の内部表面２８内に形成される連続的な溝４４、４５に、対応し、整列し、そして少なくとも部分的に受容されるように、寸法決めされる。これにより、ハウジング末端壁２４の壁４０、４１をハウジングインサート２０の内部プレート部材５８に超音波溶接する間に、細塵粒子が装置流体路内に堆積されるのを防止するための、曲折した経路、またはフラッシュトラップ（ｆｌａｓｈ  ｔｒａｐ）を生じる。
【００７０】
図９に示されるように、フローブロック５４の外部プレート部材５９は、流体連通しているチャネル９４を有しそして外部内腔６４の間に延びる外部表面９２を含む。このチャネル９４は、湾曲部９６を含み、この湾曲部９６内で管部材５６の周りにチャネルが延びる。
【００７１】
図１０を見ると、ハウジング１２の末端キャップ２２は、一体的に共に装着されたプレート様カバー部材９８および管部材１００を含む。このカバー部材９８は、ハウジングインサート２０上の外部プレート部材５９に装着する。このカバー部材９８は、内部表面１０２および対向外部表面１０４を含む。この内部表面１０２は、フローブロック外部プレート部材５９の外部表面９２内に形成されるチャネル９４と対称であるチャネル１０６を含む。従って、フローブロック５４に末端キャプ２２が装着されると、２つのチャネル１０６および９４は、単一管状流体連絡通路１０８（図１５〜図１８）を外部内腔６０と６１との間に規定する。
【００７２】
好ましくは、カバー部材９８の内部表面１０２は、外部周辺溶接リング１０１および開口１１４の周りの内部溶接リング１０３を含む。これらの溶接リング１０１および１０３は、ハウジングインサート外部プレート部材５９の外部表面９２に形成される、対応するチャネル１０５および１０７（図９）内にそれぞれ受容される。従って、カバー部材９８のリング１０１、１０２の外部プレート部材５９への超音波溶接の間、ハウジングカバー１８のハウジングインサート２０への装着の際に使用されるものと類似のフラッシュトラップは、細塵粒子が装置の流体路に入るのを防止するために提供される。
【００７３】
図１５を見ると、末端キャップ２２の管部材１００は、カバー部材９８を通って延び、そして遠位ポートまたは開口部１１０を有する円筒形内腔１１２を含む。この内腔１１２は、カバー部材９８の内部表面１０２内のチャネル１０６と流体連通しておリ、そして従って連絡通路１０８と流体連通している。
【００７４】
末端キャップ２２のカバー部材９８はまた、ハウジングインサート２０のフローブロック５４から延びる管部材５６を受容するための開口１１４を含む。従って、ハウジングインサート管部材５６は、カバー部材９８がハウジングインサート２０に装着される場合、開口１１４を通って延びる。
【００７５】
図１、１１および１２を見ると、切替え装置１０のバルブ１４は、インサート部材２０のバルブ受容内腔７６（図７）およびハウジング外部カバー部材１８の開口５０、５１（図３および図４）内に回転可能に取付けられる円筒形ハブ部材１１６を含む。好ましくは、バルブ１４は、高密度ポリエチレンからなる。また、高粘性シリコンオイルのような潤滑油またはグリースが、密閉するため、そしてバルブハブ１１６とハウジングインサート部材内腔７６との間の摩擦を減らすために使用される。
【００７６】
図１１および図１２に示されるように、ハブ１１６は、一体的にこのハブに装着される管状流体路接続継手またはＴ−継手取付け具１２０を含む内腔１１８を含む。図１６を見ると、ハブ部材１１６の外部表面は、Ｔ−継手取り付け具１２０と流体連通する３つのバルブポート１２２、１２３および１２４を含む。好ましくは、Ｔ−継手取り付け具１２０の中心接合点１２５に比較して、ポート１２２は、ポート１２３から９０度に位置し、そしてポート１２４から１８０度に位置する。
【００７７】
図１１および図１２に戻ると、切替え装置１０のリング形状外部リッジ５２（図１〜図３）内に部分的に受容されるフランジ部材１２６は、ハブ部材１１６の一端から半径方向外側に延びる。フランジ１２６のハウジング１２への凹みは、患者がバルブ１４を手動で回そうと試みることにより、装置をいじることを防止することが意図される。
【００７８】
流速指示窓または切欠き１３０および１対のハンドル係合切欠き１３２、１３３が、フランジ部材１２６の外周に形成される。この指示窓１３０は、ハウジング１２上に印字され、使用者に選択される流速に対応する速度ラベル１３４（図１）を、使用者が見ることを可能にする。従って、バルブフランジ部材は、現在選択される速度を除いて他の全ての速度ラベルを隠す。使用者が速度を変えるためにバルブ１４を回転するとき、窓１３０は回転し、選択された速度のみを露出する。あるいは、バルブフランジの窓を通して選択された速度ラベルを露出する代りに、ポインターが、選択された速度を明らかにするために使用され得る。
【００７９】
好ましくは、ハブ部材１１６の長手軸に比較すると指示窓１３０の中心は、バルブポート１２２と１２３との間にある（図１６）。さらに、係合切欠き１３２および１３３は、指示窓１３０の両側から約１３５度に中心を合わせられる。
【００８０】
図１２に示されるように、１群の突起１２８が、フランジ１２６の反対側で、バルブハブ部材１１６から長手軸方向に延びる。フランジ部材１２６および突起１２８の両方は、ハブ部材１１６に一体的に装着される。突起１２８の遠位端は、半径方向外側に縁をなす。この突起１２８は、保持リング７８（図７）を制御バルブ受容内腔７６内に係合することにより、バルブ１４をハウジング１２に固定する。しかし、このバルブ１４は、本明細書中にさらに詳細に記載されるように、流速を選択するために制御バルブ受容内腔７８内で回転可能である。
【００８１】
図１、１３および１４を見ると、手動でバルブを回すための手段を提供するための速度切替え器具またはハンドル１３６は、手動でバルブ１４に装着可能である。本明細書中でさらに詳細に説明されるように、バルブ１４の回転は、スイッチ１０を通って通過する流路の選択を生じる。好ましくは，ハンドル１３６は、バルブ１４を回すために必要とされる。従って、ハンドル１３６は、患者が許可なしにバルブを回すのをやめさせるために、医師または他の健康管理人により、除去され得、そして保持され得る。
【００８２】
ハンドル１３６は、指示面１３８、反対のバルブ係合面１４０、および管装着湾曲部１４２を含む。ハンドル１３６の係合面１４０は、フランジ１２６の周りのバルブハブ１１６の内腔１１８内に受容可能な、円筒形制限ハブ１４４を含む。ハンドル１３６の係合面１４０はまた、１対の間隔を空けられた結合ピン１４６および１４７を含み、これらの結合ピンは、ハンドルがバルブ１４に装着される場合、それぞれ切欠き１３２および１３３内に受容される。さらに、ハンドルの指示面１３８は、ハンドルがバルブ１４に装着される場合に、バルブ窓１３０を指示するためのしるし１４８を含み得る。さらにハンドル１３６の湾曲部１４２は、図１９〜図２１に示されるように、ハンドルを受容し、そして従って管材料などを留めるための開口部１５０を規定する。
【００８３】
図１５を見て、そしてハウジングインサート２０に言及すると、毛管または制限器１６および１７は、それぞれ各外部内腔６０および６１の内包チャンバー６６内に受容される。各制限器１６および１７は、流体の流速を調節するための較正された長手軸解放内腔１５１および１５２をそれぞれ有する。好ましくは、制限器１６、１７は、実質的に同じ長さを有し、そして微細腔ガラス管からなり、制限器１７は、制限器１６の２倍の流速が可能である。しかし、代替の実施形態では、制限器１７は、制限器１６の２倍の流速以外の別の流速を有し得る。
【００８４】
好ましくは、制限器１６、１７は、装置の全長を減少させるために、互いに直線状に並ばず、バルブ１４の反対側に位置決めされる。しかし、所望の場合、制限器１６、１７は、互いに対して他の配置で取付けられ得る。
【００８５】
また、フローブロック５４内の各通路６４に最も近いスペーサーＯ−リング１５３は、各外部内腔６０、６１の内包チャンバー６６内に位置決めされる。Ｏ−リング１５３は、積重への耐性の原因となる調節可能な緩衝物を提供し、成形されたハウジングインサート２０と、制限器１６、１７との間の空気層を除去する。
【００８６】
密閉Ｏ−リング１５４は、各外部内腔６０および６１のＯ−リング内包チャンバー６８内に受容される。Ｏ−リング１５４は、制限器１６、１７の外部表面に取付けられ、隙間の無い液体シールを形成する。さらに、ハウジングカバー部材１８のＣ−形状突出物３２、３３は、内包チャンバー６６に最も近いフローブロック５４に抗してＯ−リング１５４を加圧する。従って、隙間の無い液体シールは、各Ｏ−リング内包チャンバー６８の内壁とＯ−リング１５４との間に、提供される。それにもかかわらず、流路は、ハウジング外部カバー部材１８の末端壁２４のチャネル３８を介して、外部内腔１６と内部内腔６２との間に提供される。同様に、流路は、ハウジング外部カバー部材１８の末端壁２４のチャネル３９を介して外部内腔１７と内部内腔６３との間に提供される。
【００８７】
図１５〜図１８に示されるように、バルブ１４の回転は、所望の流体流速に対応する、速度切替え装置１０のポート８０、１１０の間の流路の閉止または選択を生じる。図１５に示される位置へのバルブ１４の手動の回転は、バルブブロック化を生じ、そして従って、速度切替え装置１０のポート８０、１１０の間の全ての流路を閉止する。
【００８８】
図１６に示される位置へのバルブ１４の手動回転は、速度切替え装置１０のポート８０、１１０の間の単一で連続的な流路１５６を生じる。流路１５６は、管部材内腔１１２、連絡通路１０８、制限器１６の内腔１５１、チャネル３８、内部内腔６２、Ｔ−継手１２０、フローブロック内腔８４、および管部材内腔８２を介して、ポート１１０からポート８０へ延びる。
【００８９】
図１７に示される位置へのバルブ１４の手動回転は、速度切替え装置１０のポート８０、１１０の間に、別の単一で連続的な流路１５８を生じる。この流路１５８は、管部材内腔１１２、連絡通路１０８、制限器１７の内腔１５２、チャネル３９、内部内腔６３、Ｔ−継手１２０、フローブロック内腔８４、および管部材内腔８２を介して、ポート１１０からポート８０へ延びる。
【００９０】
図１８に示される位置へのバルブ１４の手動回転は、速度切替え装置１０のポート８０、１１０の間の平行流路１６０を生じる。この平衡流路１６０は、流路１５６および１５８の両方からなる。従って、流体は、管部材内腔１１２、連絡通路１０８、制限器１７の内腔１５２、チャネル３９、内部内腔６３、Ｔ−継手１２０、フローブロック内腔８４、および管部剤内腔８２を介して、ポート１１０からポート８０へ流れる。流体はまた、管部材内腔１１２、連絡通路１０８、制限器１６の内腔１５１、チャネル３８、内部内腔６２、Ｔ−継手１２０、フローブロック内腔８４、および管部材内腔８２を介して、ポート１１０からポート８０へ流れる。
【００９１】
図１５〜図１８に示されるように、バルブ１４のＴ−継手取付け具１２０は、流体流接続させる場合、斜めまたは約１３５度の角度で、フローブロック２０の内腔６２、６３、８４を遮断する。このＹ−形状は、装置１０のサイズをかなり減少し、ここで装置が小さいほど、患者が身に付けるためにより快適であり、そしてＹ−形状はまた、論理的に増加する昇順または降順で、流体流速の調節を提供する。例えば、流路１５６中の制限器１６が、１ｍｌ／時間の流速を提供し、そして流路１５８中の制限器１７が、２ｍｌ／時間の流速を提供する場合、結果として装置１０を使用して選択され得る速度は、順に、１ｍｌ／時間（図１６）、２ｍｌ／時間（図１７）、３ｍｌ／時間（図１８）、および０ｍｌ／時間（図１５）である。
【００９２】
好ましくは、装置１０を通る、流路および対応する流速は、バルブ１４が予め決められた増分量だけ回転される場合に、選択される。例えば、図１５〜図１８に示されるように、バルブ１４の９０度回転は、装置１０の閉止または、装置１０を通る流路および対応する流速の選択を生じる。
【００９３】
詳細には、このバルブの図１５に示される位置からの９０度反時計方向の回転は、図１６に示される、装置１０を通る流路および対応する流速の選択を生じる。同様に、図１６に示される位置からのバルブの９０度反時計方向の回転は、図１７に示される、装置１０を通る流路および対応する流速の選択を生じる。さらに、バルブの図１７に示される位置からの９０度反時計方向の回転は、図１８に示される、装置１０を通る流路および対応する流速の選択を生じる。好ましくは、装置１０を通る流速は、バルブ１４がハンドル１３６を用いて反時計回り方向に回転されるにつれて、徐々に増加する。同様に、装置１０を通る流速は、バルブ１４がハンドル１３６を用いて時計回り方向に回転されるにつれて、徐々に減少する。従って、蛇口のハンドルを液体の流速を減少させるために時計回りに回すことにより、そして蛇口のハンドルを液体の流速を増加させるために反時計回りに回すことにより、大部分の蛇口を用いて液体の流速を調節するのと類似の論理的な様式で、装置１０は、作動する。
【００９４】
図１９、２０、および２１に示される実施形態では、切替え装置１０は、種々の正の圧力供給源、とりわけ、エラストマー注入ポンプ１６２、１６３、および１６４に、それぞれ可撓性管材料１６６を介して、操作可能に接続され得る。このようなポンプは当該分野で周知であり、Ｈｅｓｓｅｌによる米国特許第５，２６３，９３５号（本明細書中に参考として援用される）に開示されるポンプを含み得る。好ましくは、切替え装置１０内の制限器１６、１７は、装置を通る所望の流速を提供するために、圧力供給源により産出される流体圧力の量に適合される。
【００９５】
ポンプ１６２、１６３、および１６４は、ほぼ管状の外部ケーシング１７０と共に配置されるエラストマー内袋１６８を含む。内袋１６８は、製薬学的に活性な物質で装填され得る。完全に広がった内袋内の流体圧力は、ポンプから切替え装置への管材料１６６を介する流体流を生じる。好ましくは、流体が、ポンプから、制限器１６、１７を通って、そして次いでバルブ１４を通って流れるように、管材料１６６は、溶解性接着により切替え装置１０の管１００に接続される。さらに、管５６は、溶解性接着により、切替え装置１０の反対側に装着されるコネクタ１７４を有する可撓性管材料１７２に、装着される。このコネクタ１７４は、切替え装置１０を、患者に装着される静脈内管材料などに操作可能に接続するために、提供する。
【産業上の利用可能性】
【００９６】
当業者に理解されるように、切替え装置１０はまた、電気機械的、化学的、および重力的な供給源を含む、他の型の正の圧力供給源に操作可能に接続され得る。
【００９７】
特定の実施形態が、例示され、そして記載されたが、膨大な改変が、本発明の本質から有意に逸脱することなく惹起され、そして保護の範囲は、添付の特許請求の範囲によってのみ制限される。
【図面の簡単な説明】
【００９８】
【図１】図１は、ハウジングおよび切替えバルブを有する切替え装置についての本発明に従った、切替え装置および取り外し可能なハンドルの、拡大斜視組立て図であり、ハウジングは、カバー、インサートおよび末端キャップを含む。
【図２】図２は、図１の切替え装置の側面図である。
【図３】図３は、図１に示されるハウジングのカバーの上面斜視図である。
【図４】図４は、図１に示されるハウジングのカバーの底面斜視図である。
【図５】図５は、図３および図４に示されるハウジングカバーの端壁の内部表面の立面図である。
【図６】図６は、図１に示されるハウジングのインサートの斜視図である。
【図７】図７は、図６に示されるインサートの断面図である。
【図８】図８は、図６に示されるインサートの上面図である。
【図９】図９は、図６に示されるインサートの底面図である。
【図１０】図１０は、図１に示されるハウジングの末端キャップの斜視図である。
【図１１】図１１は、図１に示される切替え装置内のバルブの拡大上面図である。
【図１２】図１２は、面１２−１２に沿った図１１のバルブの断面図である。
【図１３】図１３は、図１１のバルブに取り外し可能に装着する速度切替え器具または図１のハンドルの上面斜視図である。
【図１４】図１４は、図１３に示されるハンドルの底面斜視図である。
【図１５】図１５は、バルブがオフ位置に回されている、図２の面１５−１５に沿った切替え装置の断面図である。
【図１６】図１６は、単一の連続フローが、切替え装置を通るのを可能にするようにバルブが回されていることを除いて、図１５と同様である。
【図１７】図１７は、代替の単一の連続フローが、切替え装置を通るのを可能にするようにバルブが回されていることを除いて、図１６と同様である。
【図１８】図１８は、２重の平行フローが、切替え装置を通るのを可能にするようにバルブが回されていることを除いて、図１６および図１７と同様である。
【図１９】図１９は、小容量エラストマー送入ポンプに操作可能に連結された、図１の切替え装置の立面図である。
【図２０】図２０は、大容量エラストマー送入ポンプに操作可能に連結された、図１の切替え装置の立面図である。
【図２１】図２１は、送入器に操作可能に連結された、図１の切替え装置の立面図である。
【符号の説明】
【００９９】
１０  多重速度切替え装置
１２  ハウジング
１４  バルブ
１８  外部カバー部材
２０  インサート
２２  末端キャップ
２４  末端壁
２６  周辺壁
２８  内部表面
３０、３７  開口部
３２  Ｃ形状突出物
３４  末端壁側方軸
３８、３９  チャネル
４０、４１  壁
４２  頂部
４４、４５  連続溝
４６  開口チャンバー
４８、４９  側部表面
５０、７０、７２、８０  開口部
５４  フローブロック
５６  管部材
５８  内部プレート部材
５９  外部プレート部材
６０、６１  外部内腔
６２、６３  内部内腔
６４  円筒形通路
６６  円筒形制限器内包チャンバー
７６  バルブ受容内腔
７８  保持リング
１０１  外部周辺溶接リング
１１６  ハブ部材
１２０  Ｔ−継手取付け具
１２６  フランジ部材
１３０  指示窓
１３２、１３３  ハンドル係合切欠き
１３６  ハンドル
１３８  指示面
１４０  バルブ係合面
１４２  管装着湾曲部
１４４  円筒形制限ハブ
１４６、１４７  結合ピン
１６２、１６３、１６４  エラストマー注入ポンプ
１６８  内袋
１７０  外部ケーシング
【図１】
2004337642.tif 000003
【図２】
2004337642.tif 000004
【図３】
2004337642.tif 000005
【図４】
2004337642.tif 000006
【図５】
2004337642.tif 000007
【図６】
2004337642.tif 000008
【図７】
2004337642.tif 000009
【図８】
2004337642.tif 000010
【図９】
2004337642.tif 000011
【図１０】
2004337642.tif 000012
【図１１】
2004337642.tif 000013
【図１２】
2004337642.tif 000014
【図１３】
2004337642.tif 000015
【図１４】
2004337642.tif 000016
【図１５】
2004337642.tif 000017
【図１６】
2004337642.tif 000018
【図１７】
2004337642.tif 000019
【図１８】
2004337642.tif 000020
【図１９】
2004337642.tif 000021
【図２０】
2004337642.tif 000022
【図２１】
2004337642.tif 000023